(57)【要約】【課題】ユーザが判断する事柄に適合した電子メールを検索することが困難であるという問題点を解決する携帯端末を提供する。【解決手段】操作部１ａは、ユーザから、対象電子メールに検索用語を付与する付与操作と、検索用語が付与された電子メールを検索する検索操作と、を受け付ける。制御部６ａは、操作部１ａが受け付けた付与操作に応じて、検索用語をその対象電子メールに付与し、その付与された対象電子メールを記憶部５ａに記憶する。また、制御部６ａは、操作部１ａが受け付けた検索操作に応じて、その検索用語が付与された電子メールを記憶部５ａから検索する。【選択図】図７
2009110483.tif 000002
【特許請求の範囲】
【請求項１】
電子メールを記憶する記憶手段と、
ユーザから、対象電子メールに検索用語を付与する付与操作と、前記検索用語が付与された電子メールを検索する検索操作と、を受け付ける操作手段と、
前記操作手段が受け付けた付与操作に応じて、前記検索用語を前記対象電子メールに付与し、該付与した対象電子メールを前記記憶手段に記憶し、また、前記操作手段が受け付けた検索操作に応じて、前記検索用語が付与された電子メールを前記記憶手段から検索する制御手段と、を含む携帯端末。
【請求項２】
請求項１に記載の携帯端末において、
表示手段を含み、
前記記憶手段は、前記検索用語を記憶し、
前記制御手段は、前記記憶手段に記憶された検索用語を前記表示手段に表示する、携帯端末。
【請求項３】
請求項２に記載の携帯端末において、
前記操作手段は、前記ユーザから、前記付与操作として、前記表示された検索用語の中から前記対象電子メールに付与する検索用語を選択する操作を受け付ける、携帯端末。
【請求項４】
請求項２または３に記載の携帯端末において、
前記操作手段は、前記ユーザから、前記検索操作として、前記表示された検索用語の中から前記検索する電子メールに付与された検索用語を選択する操作を受け付ける、携帯端末。
【請求項５】
請求項２ないし４のいずれか１項に記載の携帯端末において、
前記操作手段は、前記ユーザから、前記検索用語を更新する更新操作を受け付け、
前記制御手段は、前記操作手段が受け付けた更新操作に応じて、前記記憶手段に記憶された検索用語を更新する、携帯端末。
【請求項６】
電子メールを記憶する記憶手段を含む携帯端末が行う情報付与方法であって、
ユーザから、対象電子メールに検索用語を付与する付与操作を受け付ける操作ステップと、
前記付与操作に応じて、前記検索用語を前記対象電子メールに付与する付与ステップと、
前記検索用語を付与した対象電子メールを前記記憶手段に記憶する記憶ステップと、
前記検索用語が付与された電子メールを検索する検索操作を受け付ける受付ステップと、
前記検索操作に応じて、前記検索用語が付与された電子メールを前記記憶手段から検索する検索ステップと、を含む情報付与方法。
【請求項７】
請求項６に記載の情報付与方法において、
前記記憶手段は、前記検索用語を記憶し、
前記記憶手段に記憶された検索用語を表示する表示ステップを含む情報付与方法。
【請求項８】
請求項７に記載の情報付与方法において、
前記操作ステップでは、前記ユーザから、前記付与操作として、前記表示された検索用語の中から前記対象電子メールに付与する検索用語を選択する操作を受け付ける、情報付与方法。
【請求項９】
請求項７または８に記載の情報付与方法において、
前記受付ステップでは、前記ユーザから、前記検索操作として、前記表示された検索用語の中から前記検索する電子メールに付与された検索用語を選択する操作を受け付ける、情報付与方法。
【請求項１０】
請求項７ないし９のいずれか１項に記載の情報付与方法において、
前記ユーザから、前記検索用語を更新する更新操作を受け付ける入力ステップと、
前記更新操作に応じて、前記記憶手段に記憶された検索用語を更新する更新ステップと、を含む情報付与方法。
【発明の詳細な説明】
【技術分野】
【０００１】
本発明は、電子メールを検索可能な携帯端末および情報付与方法に関する。
【背景技術】
【０００２】
携帯電話などの携帯端末は、電子メールを管理するための様々な機能を有している。
【０００３】
例えば、携帯端末は、予めフォルダごとに振分条件を設定することで、送受信した電子メールを、その振分条件に適合したフォルダに保存する機能を有する。なお、振分条件は、電子メール内の所定の情報であり、例えば、送信元、宛先、題名、および、本文に含まれる文章などである。
【０００４】
また、電子メールの題名や内容を見なくても、その電子メールを削除することが可能な機能もある。この機能を実現する技術には、特許文献１に記載の携帯情報端末がある。
【０００５】
この携帯情報端末は、例えば、電子メールを受信すると、電子メールを受信した旨と、電子メールの発信者情報（発信者のアドレスや名称）とを表示する。したがって、ユーザは、例えば、迷惑メールなどの題名や内容を見なくても、電子メールを削除することができる。
【特許文献１】特開２００６−４１６１号公報
【発明の開示】
【発明が解決しようとする課題】
【０００６】
また、携帯端末は、保存した電子メールから、検索条件に適合する電子メールを検索する検索機能を有している。
【０００７】
検索条件として、送信元、宛先、題名および本文に含まれる文書などの、電子メールに含まれる情報が用いられている。このため、「あとで返信する予定の電子メール」や「あとで削除する予定の電子メール」など、ユーザが判断する事柄に適合した電子メールを検索することが困難であるという問題点がある。
【０００８】
なお、この問題点を解決するために、電子メールにフラグを付ける方法も考えられる。また、そのフラグの付いた電子メールの色を変えたりする方法も考えられる。しかしながら、これらの方法では、ユーザは、フラグや色の意味を覚える必要がある。このため、ユーザは、そのフラグや色の意味を忘れると、ユーザが判断する事柄に適合した電子メールを検索することの困難さは変らない。
【０００９】
そこで、本発明の目的は、上記の課題である、ユーザが判断する事柄に適合した電子メールを検索することが困難であるという問題点を解決する携帯端末および情報付与方法を提供することである。
【課題を解決するための手段】
【００１０】
本発明による携帯端末は、電子メールを記憶する記憶手段と、ユーザから、対象電子メールに検索用語を付与する付与操作と、前記検索用語が付与された電子メールを検索する検索操作と、を受け付ける操作手段と、前記操作手段が受け付けた付与操作に応じて、前記検索用語を前記対象電子メールに付与し、該付与した対象電子メールを前記記憶手段に記憶し、また、前記操作手段が受け付けた検索操作に応じて、前記検索用語が付与された電子メールを前記記憶手段から検索する制御手段と、を含む。
【００１１】
また、本発明による情報付与方法は、電子メールを記憶する記憶手段を含む携帯端末が行う情報付与方法であって、ユーザから、対象電子メールに検索用語を付与する付与操作を受け付ける操作ステップと、前記付与操作に応じて、前記検索用語を前記対象電子メールに付与する付与ステップと、前記検索用語を付与した対象電子メールを前記記憶手段に記憶する記憶ステップと、前記検索用語が付与された電子メールを検索する検索操作を受け付ける受付ステップと、前記検索操作に応じて、前記検索用語が付与された電子メールを前記記憶手段から検索する検索ステップと、を含む。
【発明の効果】
【００１２】
本発明によれば、ユーザが判断する事柄に適合した電子メールを検索することが容易になる。
【発明を実施するための最良の形態】
【００１３】
以下、本発明の実施形態について図面を参照して説明する。
【００１４】
図１は、本発明の一実施形態の携帯電話の構成を示したブロック図である。図１において、携帯電話１００は、キー入力部１と、表示部２と、無線部３と、アンテナ部４と、記憶部５と、制御部６とを含む。なお、本実施形態では、携帯端末として携帯電話を用いて説明するが、携帯端末は、携帯電話に限らず適宜変更可能である。
【００１５】
キー入力部１は、操作手段の一例である。キー入力部１は、ユーザから、電子メールの表示および検索などの携帯電話の制御に必要な操作を受け付ける。
【００１６】
例えば、キー入力部１は、ユーザから、対象電子メールに検索用語を付与する付与操作と、検索用語を更新する更新操作と、対象電子メールに付与された検索用語を外す解除操作と、検索用語が付与された電子メールを検索する検索操作と、を受け付ける。
【００１７】
ここで、検索用語は、電子メールを検索するための用語であり、例えば、「あとで返信」、「あとで削除」および「重要」などである。なお、検索用語は、「あとで返信」、「あとで削除」および「重要」に限らず適宜変更可能である。
【００１８】
表示部２は、例えば、ＬＣＤであり、電子メールなどの種々の情報を表示する。
【００１９】
無線部３は、アンテナ部４を介して無線データを送受信する。例えば、無線部３は、アンテナ部４を介して電子メールを送受信する。また、無線部３は、無線データの符号化および複合化などの送受信処理を行う。
【００２０】
記憶部５は、電子メールと、検索用語とを記憶する。ここで、記憶部５は、１以上の検索用語記憶する。
【００２１】
制御部６は、携帯電話１００を制御する。
【００２２】
具体的には、制御部６は、無線部３が電子メールを送受信すると、その電子メールを表示部２に表示する。このとき、制御部６は、その電子メールの内容（本文、題名および宛先など）を表示する。または、特にその送受信した電子メールが複数ある場合、制御部６は、その電子メールの一覧を表示する。
【００２３】
また、キー入力部１が電子メールの内容を表示する操作、または、電子メールの一覧を表示する操作を受け付けると、制御部６は、その操作に応じて、電子メールの内容または電子メールの一覧を表示部２に表示する。
【００２４】
電子メールの内容が表示された場合、制御部６は、その電子メールを対象電子メールに指定する。
【００２５】
一方、電子メールの一覧が表示された場合、キー入力部１がユーザからその電子メールの一覧から対象電子メールを指定する指定操作を受け付けると、制御部６は、その指定操作にて指定された電子メールを対象電子メールとして指定する。なお、指定操作は、例えば、十字キーを押下する操作である。
【００２６】
制御部６は、対象電子メールを指定した後で、キー入力部１が付与操作を受け付けると、その付与操作に応じて、検索用語を対象電子メールに付与する。
【００２７】
図２は、検索用語を対象電子メールに付与する付与処理の一例を説明するための説明図である。
【００２８】
ここで、表示部２には、メール本文画面２０１またはメール一覧画面２０２が表示されている。メール本文画面２０１は、対象電子メールの内容を示す。また、メール一覧画面２０２は、電子メールの一覧を示す。なお、対象電子メールは、既に指定されているものとする。
【００２９】
先ず、キー入力部１が、ユーザから、機能の一覧である機能メニューを表示する機能表示操作を受け付けると、制御部６は、機能メニューを含む機能メニュー画面２０３を表示部２に表示する。なお、機能表示操作は、例えば、所定のキーを押下する操作である。
【００３０】
その後、キー入力部１が、ユーザから、その機能メニューの中から検索用語を付与するための情報付与機能を選択する選択操作を受け付けると、制御部６は、検索用語を付与するための情報付与画面２０４を表示部２に表示する。情報付与画面２０４は、記憶部５に記憶された検索用語と、対象電子メールに付与された検索用語を外すための解除項目を有する。なお、選択操作は、例えば、十字キーおよび決定キーを押下する操作である。
【００３１】
続いて、キー入力部１が、ユーザから、付与操作として、表示された検索用語の中から対象電子メールに付与する検索用語を選択する選択操作を受け付ける。制御部６は、その選択操作にて選択された検索用語を対象電子メールに付与し、その付与した対象電子メールを記憶部５に記憶する。
【００３２】
そして、制御部６は、メール本文画面２０５またはメール一覧画面２０６を表示する。
【００３３】
メール本文画面２０５は、メール本文画面２０１に検索用語が付与された旨の付与情報が付けられた画面である。また、メール一覧画面２０６は、メール一覧画面２０２の対象電子メールに付与情報が付いた画面である。図２では、付与情報をアイコンとしている。しかしながら、付与情報は、アイコンに限らず適宜変更可能である。
【００３４】
なお、図２を用いて説明した付与処理は単なる一例であり、これに限定されない。例えば、キー入力部１がユーザから付与操作として検索用語の入力操作を受け付けてもよい。この場合、制御部６は、その入力操作にて入力された検索用語を対象電子メールに付与する。
【００３５】
図１に戻る。制御部６は、キー入力部１が解除操作を受け付けると、対象電子メールに付与された検索用語を外す。
【００３６】
例えば、表示部２に図２の情報付与画面２０４が表示されているときに、キー入力部１がユーザから解除操作として解除項目を選択する選択操作を受け付けると、制御部６は、その対象電子メールに付与された検索用語を外す。
【００３７】
これにより、不要になった検索用語を削除することが可能になる。
【００３８】
また、キー入力部１が検索用語を更新する更新操作を受け付けると、制御部６は、その更新操作に応じて、記憶部５内の検索用語を更新する。
【００３９】
更新操作には、検索用語を追加する追加操作と、検索用語を削除する削除操作と、検索用語を修正する修正操作とがある。
【００４０】
図３は、検索用語を更新する更新処理を説明するための説明図である。なお、表示部２には、情報付与画面２０４が表示されているとする。
【００４１】
検索用語を追加する場合、キー入力部１が、追加操作として、追加する検索用語の入力操作を受け付ける。制御部６は、入力操作を検知すると、その入力操作で入力された検索用語を記憶部５に追加する。そして、制御部６は、情報付与画面２０４にその追加した検索用語を加えた情報付与画面３０１を表示部２に表示する。
【００４２】
また、検索用語を削除する場合、キー入力部１が、ユーザから削除操作として、表示された検索用語の中から削除する検索用語を指定する指定操作と、その指定操作にて指定された検索用語の削除を決定する削除決定操作とを続けて受け付ける。
【００４３】
制御部６は、指定操作を検知すると、その指定操作に応じて、検索用語を指定する。続いて、制御部６は、削除決定操作を検知すると、その指定した検索用語を記憶部５から削除する。なお、削除決定操作は、例えば、特定のキーを押下する操作である。
【００４４】
そして、制御部６は、情報付与画面２０４からその削除した検索用語を除いた情報付与画面３０２を表示部２に表示する。
【００４５】
また、検索用語を修正する場合、キー入力部１が、ユーザから修正操作として、表示された検索用語の中から修正する検索用語を選択する選択操作と、その選択操作にて選択された検索用語の修正後の検索用語の入力操作とを続けて受け付ける。
【００４６】
制御部６は、選択操作を検知すると、その選択操作に応じて、検索用語を選択する。続いて、制御部６は、入力操作を検知すると、その選択した記憶部５内の検索用語を、その入力操作で入力された検索用語に修正する。
【００４７】
そして、制御部６は、情報付与画面２０４内の検索用語を修正した情報付与画面３０３を表示部２に表示する。
【００４８】
なお、図３を用いて説明した更新処理は、単なる一例であり、これに限定されない。
【００４９】
図１に戻る。制御部６は、キー入力部１が検索操作を受け付けると、その検索操作に応じた検索用語が付与された電子メールを記憶部５から検索する。制御部６は、その検索結果を表示部２に表示する。
【００５０】
例えば、表示部２に図２の機能メニュー画面２０３が表示されているときに、キー入力部１が機能メニューから電子メールを検索するための検索機能を選択する選択操作を受け付けると、制御部６は、電子メールを検索するための検索画面を表示部２に表示する。検索画面は、記憶部５に記憶された検索用語を含む。
【００５１】
続いて、キー入力部１が検索操作として検索する電子メールに付与された検索用語を選択する選択操作を受け付けると、制御部６は、その選択操作にて選択された検索用語が付与された電子メールを記憶部５から検索する。
【００５２】
次に動作を説明する。
【００５３】
先ず、電子メールに検索用語を付与する動作を説明する。図４は、この動作例を説明するためのフローチャートである。
【００５４】
ステップ７では、制御部６は、電子メールの内容を示すメール本文画面、または、電子メールの一覧を示すメール一覧画面を表示部２に表示する。
【００５５】
メール本文画面が表示された場合、制御部６は、その内容を表示した電子メールを対象電子メールに指定する。
【００５６】
一方、メール一覧画面が表示された場合、キー入力部１は、ユーザからその電子メールの一覧から対象電子メールを指定する指定操作を受け付ける。制御部６は、その指定操作を検知すると、その指定操作にて指定された電子メールを対象電子メールとして指定する。
【００５７】
制御部６が対象電子メールを指定すると、その後、ステップ８が実行される。
【００５８】
ステップ８では、キー入力部１は、ユーザから機能表示操作を受け付ける。制御部６は、その機能表示操作を検知すると、機能メニューを含む機能メニュー画面を表示部２に表示する。
【００５９】
続いて、キー入力部１は、ユーザから、機能メニューの中から情報付与機能を選択する選択操作を受け付ける。制御部６は、その選択操作を検知すると、検索用語を付与するための情報付与画面を表示部２に表示する。
【００６０】
具体的には、先ず、制御部６は、記憶部５から検索用語を全て取得し、その全ての検索用語と、解除項目とを含む画面を情報付与画面として生成する。続いて、制御部６は、その生成した情報付与画面を表示部２に表示する。
【００６１】
制御部６が情報付与画面を表示すると、その後、ステップ９が実行される。
【００６２】
ステップ９では、キー入力部１は、ユーザから付与操作として、表示された検索用語の中から対象電子メールに付与する検索用語を選択する選択操作を受け付ける。制御部６は、その選択操作を検知すると、ステップ１０を実行する。
【００６３】
ステップ１０では、制御部６が、その選択操作にて選択された検索用語を、その対象電子メールに付与し、その付与した対象電子メールを記憶部５に記憶する。そして、制御部６は、付与情報を付けた対象電子メールの内容を示すメール内容画面、または、対象電子メールに付与情報を付けた電子メールの一覧を示すメール一覧画面を表示部２に表示する。
【００６４】
次に、電子メールを検索する動作を説明する。図５は、この動作例を説明するためのフローチャートである。
【００６５】
ステップ１１では、キー入力部１は、ユーザから機能表示操作を受け付ける。制御部６は、その機能表示操作を検知すると、機能メニュー画面を表示部２に表示する。その後、ステップ１２が実行される。
【００６６】
ステップ１２では、キー入力部１が、その機能メニューから電子メールを検索する検索機能を選択する選択操作を受け付ける。制御部６は、その選択操作を検知すると、記憶部５から検索用語を全て取得する。制御部６は、その全ての検索用語を含む検索用画面を表示部２に表示する。その後、ステップ１３が実行される。
【００６７】
ステップ１３では、キー入力部１が、ユーザから検索操作として、検索する電子メールに付与された検索用語を選択する選択操作を受け付ける。制御部６は、その選択操作を検知すると、ステップ１４を実行する。
【００６８】
ステップ１４では、制御部６は、その検索操作にて選択された検索用語が付与された電子メールを記憶部５から検索する。制御部６は、その電子メールが検索されると、ステップ１５を実行し、その電子メールが検索されないと、ステップ１６を実行する。
【００６９】
ステップ１５では、制御部６は、その検索された電子メールを表示部２に表示する。なお、検索された電子メールが複数ある場合、制御部６は、その複数の電子メールの一覧を生成し、その電子メールの一覧を表示部２に表示する。
【００７０】
ステップ１６では、制御部６は、その検索用語が付与された電子メールがないことを示す情報を表示部２に表示する。
【００７１】
次に効果を説明する。
【００７２】
本実施形態によれば、キー入力部１は、ユーザから、対象電子メールに検索用語を付与する付与操作と、検索用語が付与された電子メールを検索する検索操作と、を受け付ける。
制御部６は、キー入力部１が受け付けた付与操作に応じて、検索用語をその対象電子メールに付与し、その付与された対象電子メールを記憶部５に記憶する。また、制御部６は、キー入力部１が受け付けた検索操作に応じて、その検索用語が付与された電子メールを記憶部５から検索する。
【００７３】
この場合、検索用語が付与された電子メールが記憶される。また、その検索用語が付与された電子メールが検索される。
【００７４】
このため、検索用語が適宜設定されれば、ユーザが判断する事柄に適合した電子メールを検索することが容易になる。また、電子メールに付与された情報の意味を覚えなくてもよくなる。例えば、検索用語を「あとで返信」などにすれば、返信予定の電子メールを容易に検索することが可能になる。
【００７５】
また、本実施形態では、記憶部５は、１以上の検索用語を記憶する。制御部６は、記憶部５に記憶された検索用語を表示部２に表示する。
【００７６】
この場合、検索用語が表示される。このため、ユーザは、電子メールに付与した検索用語を忘れても、ユーザが判断する事柄に適合した電子メールを検索することが容易になる。
【００７７】
また、本実施形態では、キー入力部１は、付与操作として、表示された検索用語の中から対象電子メールに付与する検索用語を選択する選択操作を受け付ける。
【００７８】
この場合、対象電子メールに付与する検索用語が、表示された検索用語の中から選択される。このため、検索用語を付与する際に、検索用語を入力しなくても良くなる。したがって、ユーザが判断する事柄に適合した電子メールを検索することがより容易になる。
【００７９】
また、本実施形態では、キー入力部１は、ユーザから、検索操作として、表示された検索用語の中から、検索する電子メールに付与された検索用語を選択する選択操作を受け付ける。
【００８０】
この場合、検索する電子メールに付与された検索用語が、表示された検索用語の中から選択される。このため、検索する際に、検索用語を入力しなくても良くなる。したがって、ユーザが判断する事柄に適合した電子メールを検索することがより容易になる。
【００８１】
また、本実施形態では、キー入力部１は、ユーザから、検索用語を更新する更新操作を受け付ける。制御部６は、キー入力部１が受け付けた更新操作に応じて、記憶部５に記憶された検索用語を更新する。
【００８２】
この場合、記憶された検索用語が、ユーザからの更新操作に応じて更新される。このため、ユーザは、所望の用語を用いて、電子メールを検索することが可能になる。
【００８３】
次に第二の実施形態について説明する。
【００８４】
図６は、第二の実施形態の携帯電話の動作例を説明するためのフローチャートである。なお、図６において、図５と同じ処理には同じ符号が付してある。
【００８５】
ステップ１５で制御部６が電子メールを表示部２に表示すると、キー入力部１がステップＢ１を実行する。
【００８６】
ステップＢ１では、キー入力部１は、機能表示操作を受け付ける。制御部６は、機能表示操作を検知すると、機能メニュー画面を表示部２に表示する。
【００８７】
その後、キー入力部１は、その機能メニューの中から電子メールを削除するためにメール削除機能を選択する選択操作を受け付ける。制御部６は、その選択操作を検知すると、メール削除機能を実行する。その後、ステップＢ２が実行される。
【００８８】
ステップＢ２では、キー入力部１は、ユーザから、電子メールの一覧から削除する電子メールを選択する選択操作を受け付ける。制御部６は、その選択操作を検知すると、ステップＢ３を実行する。
【００８９】
ステップＢ３では、制御部６は、その削除メール選択操作にて選択された電子メールを削除する。
【００９０】
本実施形態によれば、検索された電子メールを削除することが可能になり、容易に電子メールを削除することが可能になる。
【００９１】
次に第三の実施形態について説明する。
【００９２】
本実施形態では、本発明の最も簡単な構成について説明する。
【００９３】
図７は、本実施形態の携帯端末の構成を示したブロック図である。図７において、携帯端末２００は、操作部１ａと、記憶部５ａと、制御部６ａとを含む。
【００９４】
操作部１ａは、ユーザから付与操作および検索操作を受け付ける。なお、操作部１ａは、第一の実施例と同様にキー入力装置でもよいし、タッチパネルなどの他の入力装置でもよい。
【００９５】
記憶部５ａは、少なくとも電子メールを記憶する。
【００９６】
制御部６ａは、操作部１ａが受け付けた付与操作に応じて、検索用語を対象電子メールに付与し、その付与した対象電子メールを記憶部５ａに記憶する。
【００９７】
また、制御部６ａは、操作部１ａが受け付けた検索操作に応じて、検索用語が付与された電子メールを記憶部５ａから検索する。
【００９８】
次に動作を説明する。
【００９９】
検索用語を付与する場合、先ず、操作部１ａは、ユーザから付与操作を受け付ける。付与操作は、例えば、付与する検索用語の入力操作である。
【０１００】
続いて、制御部６ａは、付与操作を検知すると、その付与操作に応じて、検索用語を対象電子メールに付与する。例えば、付与操作が、付与する検索用語の入力操作の場合、制御部６ａは、その入力操作にて入力された検索用語を対象電子メールに付与する。
【０１０１】
また、電子メールを検索する場合、先ず、操作部１ａは、ユーザから検索用語を受け付ける。検索用語は、例えば、検索する電子メールに付与された検索用語の入力操作である。
【０１０２】
続いて、制御部６ａは、その検索操作を検知すると、その検索操作に応じた検索用語が付与された電子メールを記憶部５ａから検索する。例えば、検索操作が検索する電子メールに付与された検索用語の入力操作の場合、制御部６は、その入力操作で入力された検索用語が付与された電子メールを記憶部５ａから検索する。
【０１０３】
次に効果を説明する。
【０１０４】
本実施形態では、操作部１ａは、ユーザから、対象電子メールに検索用語を付与する付与操作と、検索用語が付与された電子メールを検索する検索操作と、を受け付ける。制御部６ａは、操作部１ａが受け付けた付与操作に応じて、検索用語をその対象電子メールに付与し、その付与された対象電子メールを記憶部５ａに記憶する。また、制御部６ａは、操作部１ａが受け付けた検索操作に応じて、その検索用語が付与された電子メールを記憶部５ａから検索する。
【０１０５】
この場合でも第一の実施形態と同様に、検索用語が付与された電子メールが記憶される。また、その検索用語が付与された電子メールが検索される。検索用語が適宜設定されれば、ユーザが判断する事柄に適合した電子メールを検索することが容易になる。
【０１０６】
以上説明した各実施形態において、図示した構成は単なる一例であって、本発明はその構成に限定されるものではない。
【０１０７】
例えば、第二の実施形態において、検索された電子メールを、所望のフォルダに移動させるようにしてもよい。
【図面の簡単な説明】
【０１０８】
【図１】本発明の一実施形態の携帯電話の構成を示したブロック図である。
【図２】検索用語を対象電子メールに付与する付与処理の一例を説明するための説明図である。
【図３】検索用語を更新する更新処理の一例を説明するための説明図である。
【図４】電子メールに検索用語を付与する動作例を説明するためのフローチャートである。
【図５】電子メールを検索する動作例を説明するためのフローチャートである。
【図６】第二の実施形態の携帯電話の動作例を説明するためのフローチャートである。
【図７】第三の実施形態の携帯端末の構成を示したブロック図である。
【符号の説明】
【０１０９】
１        キー入力部
１ａ      操作部
２        表示部
３        無線部
４        アンテナ
５、５ａ      記憶部
６、６ａ      制御部
【図１】
2009110483.tif 000003
【図２】
2009110483.tif 000004
【図３】
2009110483.tif 000005
【図４】
2009110483.tif 000006
【図５】
2009110483.tif 000007
【図６】
2009110483.tif 000008
【図７】
2009110483.tif 000009